(57)【要約】【課題】  所定のタイミングで等化器のタップ係数を再設定する。【解決手段】  推定部３８は、起動時に受信した等化前信号２０４に含まれたトレーニング信号と記憶したトレーニング信号から、有線通信回線の伝送路特性を反映したタップ係数を推定する。等化部４０は、予め推定部３８からのタップ係数を入力し、対応するタップに設定する。設定後、タップ係数にもとづいて入力した等化前信号２０４を等化し、その結果を等化後信号２０６として出力する。測定部４４は、信号処理部３０で復調した信号に含まれた情報の誤り率を測定する。トリガ生成部４６は、測定部４４で測定した誤り率の結果を入力し、誤り率がしきい値をこえた場合に、トリガ信号を出力する。電源制御部４８は、トリガ信号を入力した場合に、有線部１６を再起動するように、電源を管理する。【選択図】  図２
2005191750.tif 000002
【特許請求の範囲】
【請求項１】
有線通信回線を接続する回線インターフェース部と、
前記回線インターフェース部を介して、電源を投入したタイミングでトレーニング信号を受信し、前記受信したトレーニング信号にもとづいて前記有線通信回線の伝送特性を推定する推定部と、
前記推定した伝送特性にもとづいて、前記回線インターフェース部を介して受信したデータ信号を等化する等化部と、
前記等化したデータ信号を処理する信号処理部と、
前記電源を投入したタイミングの後、電源を投入すべきタイミングのトリガを入力し、前記入力したトリガにもとづいて、電源の再投入を指示する電源制御部とを備え、
前記推定部は、電源の再投入のタイミングで、前記有線通信回線の伝送特性を再び推定することを特徴とする通信装置。
【請求項２】
前記回線インターフェース部は、複数の有線通信回線を接続しており、
前記推定部は、前記複数の有線通信回線の伝送特性をそれぞれ推定し、
前記等化部は、前記回線インターフェースを介して受信した複数のデータ信号をそれぞれ等化し、
前記信号処理部は、前記等化した複数のデータ信号をそれぞれ処理し、
前記電源制御部は、前記複数の有線通信回線のいずれかに対応した前記推定部の部分に対して、電源の再投入を指示することを特徴とする請求項１に記載の通信装置。
【請求項３】
前記処理したデータ信号の誤り率を測定する測定部と、
前記測定したデータ信号の誤り率が予め定めたしきい値よりも悪化したした場合に、前記電源制御部に前記電源を投入すべきタイミングのトリガを出力するトリガ生成部をさらに備えることを特徴とする請求項１または２に記載の通信装置。
【請求項４】
前記回線インターフェース部に接続された有線通信回線の切断を検出する検出部と、
前記有線通信回線の切断を検出した場合に、前記電源制御部に前記電源を投入すべきタイミングのトリガを出力するトリガ生成部をさらに備えることを特徴とする請求項１または２に記載の通信装置。
【請求項５】
前記電源を投入すべきタイミングのトリガを生成すべき時刻を記憶する記憶部と、
前記記憶した時刻にもとづいて、前記電源制御部に前記電源を投入すべきタイミングのトリガを出力するトリガ生成部をさらに備えることを特徴とする請求項１または２に記載の通信装置。
【請求項６】
有線通信回線を接続する回線インターフェース部と、
前記回線インターフェース部を介して、リセット要求を投入したタイミングでトレーニング信号を受信し、前記受信したトレーニング信号にもとづいて前記有線通信回線の伝送特性を推定する推定部と、
前記推定した伝送特性にもとづいて、前記回線インターフェース部を介して受信したデータ信号を等化する等化部と、
前記等化したデータ信号を処理する信号処理部と、
前記リセット要求を投入したタイミングの後、リセット要求を投入すべきタイミングのトリガを入力し、前記入力したトリガにもとづいて、リセット要求の再投入を指示するリセット制御部とを備え、
前記推定部は、リセット要求の再投入のタイミングで、前記有線通信回線の伝送特性を再び推定することを特徴とする通信装置。
【請求項７】
有線通信回線を接続する回線インターフェース部と、
前記回線インターフェース部を介して、電源を投入したタイミングでトレーニング信号を受信し、前記受信したトレーニング信号にもとづいて前記有線通信回線の伝送特性を推定する推定部と、
前記推定した伝送特性にもとづいて、前記回線インターフェース部を介して受信したデータ信号を等化する等化部と、
前記等化したデータ信号を処理する信号処理部と、
前記等化したデータ信号を無線通信回線を介して、無線端末装置に伝送する無線部と、
前記電源を投入したタイミングの後、電源を投入すべきタイミングのトリガを入力し、前記入力したトリガにもとづいて、電源の再投入を指示する電源制御部とを備え、
前記推定部は、電源の再投入のタイミングで、前記有線通信回線の伝送特性を再び推定することを特徴とする無線装置。
【請求項８】
有線通信回線を接続する回線インターフェース部と、
前記回線インターフェース部を介して、リセット要求を投入したタイミングでトレーニング信号を受信し、前記受信したトレーニング信号にもとづいて前記有線通信回線の伝送特性を推定する推定部と、
前記推定した伝送特性にもとづいて、前記回線インターフェース部を介して受信したデータ信号を等化する等化部と、
前記等化したデータ信号を処理する信号処理部と、
前記等化したデータ信号を無線通信回線を介して、無線端末装置に伝送する無線部と、
前記リセット要求を投入したタイミングの後、リセット要求を投入すべきタイミングのトリガを入力し、前記入力したトリガにもとづいて、リセット要求の再投入を指示するリセット制御部とを備え、
前記推定部は、リセット要求の再投入のタイミングで、前記有線通信回線の伝送特性を再び推定することを特徴とする無線装置。
【請求項９】
有線通信回線を接続する回線インターフェース部と、
前記回線インターフェース部を介して、電源を投入したタイミングでトレーニング信号を受信し、前記受信したトレーニング信号にもとづいて前記有線通信回線の伝送特性を推定する推定部と、
前記推定した伝送特性にもとづいて、前記回線インターフェース部を介して受信したデータ信号を等化する等化部と、
前記等化したデータ信号を処理する信号処理部と、
前記等化したデータ信号を、交換機に伝送する交換機インターフェース部と、
前記電源を投入したタイミングの後、電源を投入すべきタイミングのトリガを入力し、前記入力したトリガにもとづいて、電源の再投入を指示する電源制御部とを備え、
前記推定部は、電源の再投入のタイミングで、前記有線通信回線の伝送特性を再び推定することを特徴とする局側装置。
【請求項１０】
有線通信回線を接続する回線インターフェース部と、
前記回線インターフェース部を介して、リセット要求を投入したタイミングでトレーニング信号を受信し、前記受信したトレーニング信号にもとづいて前記有線通信回線の伝送特性を推定する推定部と、
前記推定した伝送特性にもとづいて、前記回線インターフェース部を介して受信したデータ信号を等化する等化部と、
前記等化したデータ信号を処理する信号処理部と、
前記等化したデータ信号を、交換機に伝送する交換機インターフェース部と、
前記リセット要求を投入したタイミングの後、リセット要求を投入すべきタイミングのトリガを入力し、前記入力したトリガにもとづいて、リセット要求の再投入を指示するリセット制御部とを備え、
前記推定部は、リセット要求の再投入のタイミングで、前記有線通信回線の伝送特性を再び推定することを特徴とする局側装置。
【発明の詳細な説明】
【技術分野】
【０００１】
本発明は、通信装置ならびにそれを利用した無線装置および局側装置に関し、特に等化器を設定するタイミングを制御する通信装置ならびにそれを利用した無線装置および局側装置に関する。
【背景技術】
【０００２】
携帯電話システム、ＰＨＳ（登録商標）、第３世代携帯電話システム等では、基地局装置と端末装置の間を無線通信回線で接続すると共に、基地局装置をさらに有線通信回線によって局側の交換機等に接続する。例えば、ＰＨＳでは、有線通信回線としてＩＳＤＮ（Ｉｎｔｅｇｒａｔｅｄ  Ｓｅｒｖｉｃｅｓ  Ｄｉｇｉｔａｌ  Ｎｅｔｗｏｒｋ）を使用して、局側の交換機と接続する。有線通信回線で伝送される信号は、一般的に回線上で発生する伝送ひずみの影響を受ける。このような伝送ひずみは、減衰ひずみや群遅延ひずみを含む。減衰ひずみは、周波数成分により信号の減衰幅が異なるように作用する。一方、群遅延ひずみは、周波数成分によって受信側に到達する時間に差が生じる現象である。これらのひずみを補正するために、一般的に等化器が使用されている（例えば、非特許文献１参照。）。
【非特許文献１】「モデムの機能と動向」，日経データプロ・パソコン，日経ＢＰ社，１９９３年９月
【発明の開示】
【発明が解決しようとする課題】
【０００３】
有線通信回線で双方向伝送するためのひとつの手段に、エコーキャンセラ方式がある。エコーキャンセラ方式は、送信側と受信側で同一の帯域の信号を使用するため、送信側の信号を受信信号から分離する必要がある。そのため、自分の送信した信号と同じ波形を受信側で除去して、受信すべき信号を抽出している。近年、小型化等を目的として、等化器、エコーキャンセラ、送受信機能をひとつにした回路が開発されている。このような回路のひとつは、回路の起動時に、予め定めた既知のトレーニング信号を有線通信回線側から受信して、受信したトレーニング信号にもとづいて等化器に含まれたタップの係数を初期化する。初期化されたタップ係数は、そのまま固定されてデータの受信に使用される。
【０００４】
しかしながら、回路が起動してから長期間にわたってデータ通信が実行されれば、等化器のタップ係数が、最適な値から離れている場合もある。すなわち、タップ係数は、有線通信回線の伝送路特性を反映するべきであるが、一般的にタップ係数の設定から長期間経過すれば回線工事や経年変化によって、実際の伝送路特性からずれている。タップ係数が最適な値でなければ、等化器によるひずみの補正機能が低下し、さらに有線通信回線による伝送特性も低下する。
【０００５】
本発明はこうした状況に鑑みてなされたものであり、その目的は、伝送路特性の変化に応じて等化器のタップ係数の設定を制御する通信装置ならびにそれを利用した無線装置および局側装置を提供することにある。
【課題を解決するための手段】
【０００６】
本発明のある態様は、通信装置である。この装置は、有線通信回線を接続する回線インターフェース部と、回線インターフェース部を介して、電源を投入したタイミングでトレーニング信号を受信し、受信したトレーニング信号にもとづいて有線通信回線の伝送特性を推定する推定部と、推定した伝送特性にもとづいて、回線インターフェース部を介して受信したデータ信号を等化する等化部と、等化したデータ信号を処理する信号処理部と、電源を投入したタイミングの後、電源を投入すべきタイミングのトリガを入力し、入力したトリガにもとづいて、電源の再投入を指示する電源制御部とを備える。この装置において、推定部は、電源の再投入のタイミングで、有線通信回線の伝送特性を再び推定してもよい。
以上の装置により、電源の投入後も、電源の再投入によって伝送特性を再推定するために、有線通信回線の伝送特性が変化しても、伝送品質の劣化を防止できる。
【０００７】
回線インターフェース部は、複数の有線通信回線を接続しており、推定部は、複数の有線通信回線の伝送特性をそれぞれ推定し、等化部は、回線インターフェースを介して受信した複数のデータ信号をそれぞれ等化し、信号処理部は、等化した複数のデータ信号をそれぞれ処理し、電源制御部は、複数の有線通信回線のいずれかに対応した推定部の部分に対して、電源の再投入を指示してもよい。処理したデータ信号の誤り率を測定する測定部と、測定したデータ信号の誤り率が予め定めたしきい値よりも悪化したした場合に、電源制御部に電源を投入すべきタイミングのトリガを出力するトリガ生成部をさらに備えてもよい。回線インターフェース部に接続された有線通信回線の切断を検出する検出部と、有線通信回線の切断を検出した場合に、電源制御部に電源を投入すべきタイミングのトリガを出力するトリガ生成部をさらに備えてもよい。電源を投入すべきタイミングのトリガを生成すべき時刻を記憶する記憶部と、記憶した時刻にもとづいて、電源制御部に電源を投入すべきタイミングのトリガを出力するトリガ生成部をさらに備えてもよい。
【０００８】
本発明の別の態様も、通信装置である。この装置は、有線通信回線を接続する回線インターフェース部と、回線インターフェース部を介して、リセット要求を投入したタイミングでトレーニング信号を受信し、受信したトレーニング信号にもとづいて有線通信回線の伝送特性を推定する推定部と、推定した伝送特性にもとづいて、回線インターフェース部を介して受信したデータ信号を等化する等化部と、等化したデータ信号を処理する信号処理部と、リセット要求を投入したタイミングの後、リセット要求を投入すべきタイミングのトリガを入力し、入力したトリガにもとづいて、リセット要求の再投入を指示するリセット制御部とを備える。この装置において、推定部は、リセット要求の再投入のタイミングで、有線通信回線の伝送特性を再び推定してもよい。
【０００９】
回線インターフェース部は、複数の有線通信回線を接続しており、推定部は、複数の有線通信回線の伝送特性をそれぞれ推定し、等化部は、回線インターフェースを介して受信した複数のデータ信号をそれぞれ等化し、信号処理部は、等化した複数のデータ信号をそれぞれ処理し、リセット制御部は、複数の有線通信回線のいずれかに対応した推定部の部分に対して、リセット要求の再投入を指示してもよい。処理したデータ信号の誤り率を測定する測定部と、測定したデータ信号の誤り率が予め定めたしきい値よりも悪化したした場合に、リセット制御部にリセット要求を投入すべきタイミングのトリガを出力するトリガ生成部をさらに備えてもよい。回線インターフェース部に接続された有線通信回線の切断を検出する検出部と、有線通信回線の切断を検出した場合に、リセット制御部にリセット要求を投入すべきタイミングのトリガを出力するトリガ生成部をさらに備えてもよい。リセット要求を投入すべきタイミングのトリガを生成すべき時刻を記憶する記憶部と、記憶した時刻にもとづいて、リセット制御部にリセット要求を投入すべきタイミングのトリガを出力するトリガ生成部をさらに備えてもよい。
【００１０】
本発明のさらに別の態様は、無線装置である。この装置は、有線通信回線を接続する回線インターフェース部と、回線インターフェース部を介して、電源を投入したタイミングでトレーニング信号を受信し、受信したトレーニング信号にもとづいて有線通信回線の伝送特性を推定する推定部と、推定した伝送特性にもとづいて、回線インターフェース部を介して受信したデータ信号を等化する等化部と、等化したデータ信号を処理する信号処理部と、等化したデータ信号を無線通信回線を介して、無線端末装置に伝送する無線部と、電源を投入したタイミングの後、電源を投入すべきタイミングのトリガを入力し、入力したトリガにもとづいて、電源の再投入を指示する電源制御部とを備える。この装置において、推定部は、電源の再投入のタイミングで、有線通信回線の伝送特性を再び推定してもよい。
【００１１】
本発明のさらに別の態様も、無線装置である。この装置は、有線通信回線を接続する回線インターフェース部と、回線インターフェース部を介して、リセット要求を投入したタイミングでトレーニング信号を受信し、受信したトレーニング信号にもとづいて有線通信回線の伝送特性を推定する推定部と、推定した伝送特性にもとづいて、回線インターフェース部を介して受信したデータ信号を等化する等化部と、等化したデータ信号を処理する信号処理部と、等化したデータ信号を無線通信回線を介して、無線端末装置に伝送する無線部と、リセット要求を投入したタイミングの後、リセット要求を投入すべきタイミングのトリガを入力し、入力したトリガにもとづいて、リセット要求の再投入を指示するリセット制御部とを備える。この装置において、推定部は、リセット要求の再投入のタイミングで、有線通信回線の伝送特性を再び推定してもよい。
【００１２】
本発明のさらに別の態様は、局側装置である。この装置は、有線通信回線を接続する回線インターフェース部と、回線インターフェース部を介して、電源を投入したタイミングでトレーニング信号を受信し、受信したトレーニング信号にもとづいて有線通信回線の伝送特性を推定する推定部と、推定した伝送特性にもとづいて、回線インターフェース部を介して受信したデータ信号を等化する等化部と、等化したデータ信号を処理する信号処理部と、等化したデータ信号を、交換機に伝送する交換機インターフェース部と、電源を投入したタイミングの後、電源を投入すべきタイミングのトリガを入力し、入力したトリガにもとづいて、電源の再投入を指示する電源制御部とを備える。この装置において、推定部は、電源の再投入のタイミングで、有線通信回線の伝送特性を再び推定してもよい。
【００１３】
本発明のさらに別の態様も、局側装置である。この装置は、有線通信回線を接続する回線インターフェース部と、回線インターフェース部を介して、リセット要求を投入したタイミングでトレーニング信号を受信し、受信したトレーニング信号にもとづいて有線通信回線の伝送特性を推定する推定部と、推定した伝送特性にもとづいて、回線インターフェース部を介して受信したデータ信号を等化する等化部と、等化したデータ信号を処理する信号処理部と、等化したデータ信号を、交換機に伝送する交換機インターフェース部と、リセット要求を投入したタイミングの後、リセット要求を投入すべきタイミングのトリガを入力し、入力したトリガにもとづいて、リセット要求の再投入を指示するリセット制御部とを備える。この装置において、推定部は、リセット要求の再投入のタイミングで、有線通信回線の伝送特性を再び推定してもよい。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、伝送路特性の変化に応じて等化器のタップ係数の設定を制御できる。
【発明を実施するための最良の形態】
【００１６】
（実施例１）
本発明を具体的に説明する前に、概要を述べる。本発明の実施例１は、通信システムとしてＰＨＳを対象とし、そのうちの基地局装置に含まれ、かつ有線通信回線とのインターフェースとなる通信回路に関する。また、有線通信回線の通信方式は、エコーキャンセラ方式であるため、本実施例の通信回路は、エコーキャンセラを含み、さらに伝送特性の向上のために等化器も含んでいる。通信回路は、起動されると、所定の手順に従って有線通信回線からトレーニング信号を受信し、受信したトレーニング信号にもとづいて等化器のタップ係数を設定する。その後は、設定されたタップ係数で等化処理を行い、等化処理された信号を復調する。一方、復調の処理と並行して、本実施例の通信回路は、等化処理された信号の誤り率を測定する。測定した誤り率が予め定めたしきい値より大きくなれば、通信回路は、再起動し、再び等化器のタップ係数を設定する。
【００１７】
図１は、実施例１に係る通信システム１００の構成を示す。通信システム１００は、端末装置１０、基地局装置１２、局側装置２０、ネットワーク２２を含む。また、基地局装置１２は、無線部１４、有線部１６、制御部１８を含む。さらに信号として、内部信号２００、有線伝送信号２０２を含む。
端末装置１０は、基地局装置１２に接続されて、端末装置１０を所有するユーザに通話機能やデータ通信機能を提供する。なお、端末装置１０はこれらの機能を単独で提供してもよいが、パーソナルコンピュータ等に接続された状態で提供してもよい。
【００１８】
基地局装置１２は、無線側に端末装置１０を接続し、有線側に局側装置２０を接続する。その結果、端末装置１０と局側装置２０を中継する役割を有する。その中で、無線部１４は、端末装置１０と接続するための無線通信機能を有し、例えば、変復調、周波数変換、増幅等の処理を実行する。有線部１６は、局側装置２０と接続するための有線通信機能を有し、例えば、変復調、等化、エコーキャンセラ等の処理を実行する。なお、無線通信システムと有線通信システム間のプロトコルの変換は、無線部１４と有線部１６のどちらか一方に含まれるが、そのようなプロトコルの変換は本発明に直接影響しないため、ここでは説明を省略する。また、無線部１４と有線部１６の間の信号として内部信号２００を定義し、有線部１６と局側装置２０の間の信号として有線伝送信号２０２を定義する。制御部１８は、基地局装置１２全体のタイミング等を制御する。
【００１９】
局側装置２０は、局内部に設置されており、交換機等を含む。また、局側装置２０も有線部１６を含むが、基地局装置１２に含まれた有線部１６の機能とほぼ同一のため、以下説明を省略する。さらに、局側装置２０はネットワーク２２と接続する。
【００２０】
図２は、有線部１６の構成を示す。有線部１６は、信号処理部３０、送信部３２、インターフェース３４、推定部３８、等化部４０、エコーキャンセラ４２、測定部４４、トリガ生成部４６、電源制御部４８を含む。また信号として、等化前信号２０４、等化後信号２０６を含む。
信号処理部３０は、無線部１４とのインターフェースであり、端末装置１０から局側装置２０に送信すべき信号を内部信号２００として入力し、プロトコルの変換のために所定の信号を付加あるいは除去して、送信部３２に信号を出力する。一方、これと反対の処理として、局側装置２０から端末装置１０に送信すべき信号を内部信号２００として出力する。その際にもプロトコルの変換のために所定の信号を付加あるいは除去する。
【００２１】
送信部３２は、信号処理部３０からの信号を入力し、局側装置２０へ出力するために有線通信回線で伝送可能な信号形式に変換する。このような信号の変換の一例として、変調が挙げられる。
インターフェース３４は、局側装置２０へ信号を出力し、局側装置２０から信号を入力する。ここで有線通信回線は、エコーキャンセラ方式を採用しているため、出力と入力の処理を並列に行う。また、局側装置２０との間で入出力される信号は、有線伝送信号２０２と総称され、等化部４０に出力する信号を等化前信号２０４という。
【００２２】
推定部３８は、予めトレーニング信号を記憶しており、起動時に受信した等化前信号２０４に含まれたトレーニング信号と記憶したトレーニング信号から、有線通信回線の伝送路特性を反映したタップ係数を推定する。ここで、タップ係数は、ＬＭＳ（Ｌｅａｓｔ  Ｍｅａｎ  Ｓｑｕａｒｅ）アルゴリズム等の適応アルゴリズムや相関処理によって、推定される。さらに推定したタップ係数は、等化部４０に出力される。また、推定部３８は、起動時のタイミングを後述の電源制御部４８からの指示によって認識する。
【００２３】
等化部４０は、予め推定部３８からのタップ係数を入力し、対応するタップに設定する。設定後、タップ係数にもとづいて入力した等化前信号２０４を等化し、その結果を等化後信号２０６として出力する。等化部４０の構成は後述するが、たとえばトランスバーサルフィルタによって構成される。
エコーキャンセラ４２は、信号処理部３０を経由した等化後信号２０６から、送信部３２から出力された信号の成分を除去して、受信すべき信号のみを抽出する。エコーキャンセラ４２の処理の一例は、送信部３２から出力された信号に所定の係数を乗算し、当該乗算結果を等化後信号２０６から除去する。ここで、所定の係数は、エコーキャンセラの処理中においても逐次更新されているものとする。なお、エコーキャンセラ４２で抽出した受信すべき信号は、信号処理部３０で復調されてもよい。
【００２４】
測定部４４は、エコーキャンセラ４２で抽出した受信すべき信号、あるいは信号処理部３０で復調した信号に含まれた情報の誤り率を測定する。例えば、信号にＣＲＣビットが含まれている場合には、ＣＲＣの誤りをカウントすることによって、誤り率を測定する。
トリガ生成部４６は、測定部４４で測定した誤り率の結果を入力し、誤り率がしきい値をこえた場合に、トリガ信号を出力する。
電源制御部４８は、トリガ信号を入力した場合に、有線部１６を再起動するように、電源を管理する。また、再起動すれば、再起動した旨を推定部３８に伝える。
【００２５】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２６】
図３は、等化部４０の構成を示す。等化部４０は、遅延部５０と総称される第１遅延部５０ａ、第２遅延部５０ｂ、第Ｎ−１遅延部５０（ｎ−１）、保持部５２と総称される第１保持部５２ａ、第２保持部５２ｂ、第３保持部５２ｃ、第Ｎ保持部５２ｎ、乗算部５４と総称される第１乗算部５４ａ、第２乗算部５４ｂ、第３乗算部５４ｃ、第Ｎ乗算部５４ｎ、総和部５６を含む。
【００２７】
予め、図示しない推定部３８で計算されたタップ係数は、保持部５２に設定される。保持部５２は、新たなタップ係数が入力されるまでは、設定されたタップ係数を保持する。遅延部５０は、入力した等化前信号２０４を遅延させる。乗算部５４は、遅延部５０で遅延した等化前信号２０４と、保持部５２に保持したタップ係数を乗算する。総和部５６は、乗算した結果を加算し、等化後信号２０６として出力する。
【００２８】
図４は、起動時の動作を示すフローチャートである。ユーザ等が、有線部１６の電源を投入すれば（Ｓ１０）、電源制御部４８も起動を認識する。所定のシーケンス実行後、推定部３８は、等化前信号２０４に含まれたトレーニング信号を受信する（Ｓ１２）。推定部３８は、受信したトレーニング信号にもとづいて伝送路特性、すなわちタップ係数を推定する（Ｓ１４）。推定部３８は、推定したタップ係数を等化部４０に設定する（Ｓ１６）。その後、等化部４０は、受信した等化前信号２０４を等化する。さらに、エコーキャンセラ４２は、等化した信号から送信信号を除去するために、等化した信号にもとづいて設定される（Ｓ１８）。
【００２９】
なお、推定部３８がトレーニング信号を受信する前に実行される所定のシーケンスは任意のものでよい。例えば、有線部１６が起動した旨を有線伝送信号２０２によって、図示しない局側装置２０に通知して、局側装置２０からトレーニング信号の送信を要求してもよい。また、局側装置２０が、有線部１６の起動を検出すれば、自動的にトレーニング信号を送信してもよい。
【００３０】
図５は、再起動時の動作を示すフローチャートである。ここでは、既に図４に示した処理は実行されていて、実際に有線伝送信号２０２を受信しているものとする。測定部４４は、復調された信号の誤り率を測定する（Ｓ２０）。トリガ生成部４６は、誤り率がしきい値より大きくなった場合（Ｓ２２のＹ）に、トリガ信号を出力し、電源制御部４８が有線部１６をリセットする（Ｓ２４）。所定のシーケンス実行後、推定部３８は、等化前信号２０４に含まれたトレーニング信号を受信する（Ｓ２６）。推定部３８は、受信したトレーニング信号にもとづいて伝送路特性、すなわちタップ係数を推定する（Ｓ２８）。推定部３８は、推定したタップ係数を等化部４０に設定する（Ｓ３０）。その後、等化部４０は、受信した等化前信号２０４を等化する。さらに、エコーキャンセラ４２は、等化した信号から送信信号を除去するために、等化した信号にもとづいて設定される（Ｓ３２）。一方、トリガ生成部４６は、誤り率がしきい値より大きくならなかった場合（Ｓ２２のＮ）に、そのまま受信を実行する。
【００３１】
以上の構成による有線部１６の動作を説明する。有線部１６が起動されれば、推定部３８は受信したトレーニング信号からタップ係数を推定し、等化部４０に設定する。設定終了後、等化部４０は、受信した等化前信号２０４を等化し、さらにエコーキャンセラ４２はエコーキャンセル処理する。信号処理部３０は、エコーキャンセル処理された信号を復調し、測定部４４は、復調した信号の誤り率を測定する。トリガ生成部４６は、誤り率がしきい値より多くなれば、トリガ信号を出力し、電源制御部４８は、有線部１６を再起動する。再起動によって、推定部３８は、再びトレーニング信号からタップ係数を推定し、等化部４０に設定する。
【００３２】
本発明の実施例１によれば、受信した信号の誤り率がしきい値より悪化したした場合に、既に設定したタップ係数が実際の伝送路特性から乖離したと推定し、再起動を行うため、受信した信号の品質を改善できる。
【００３３】
（実施例２）
本発明の実施例２は、実施例１と同様の通信装置に関し、伝送路特性の変化を推定して、通信装置を再起動する。しかしながら、実施例１の誤り率と異なって、実施例２に係る通信装置は、有線通信回路の切断を検出した場合に、通信装置を再起動する。
【００３４】
図６は、実施例２に係る有線部１６の構成を示す。有線部１６は、図２の有線部１６と異なって検出部６０を含む。検出部６０は、受信した内部信号２００あるいは送信する内部信号２００を監視し、有線通信回線が切断された場合に、有線部１６を再起動するために切断された旨をトリガ生成部４６に通知する。ここで、有線通信回線の切断は、受信した内部信号２００の電力値や、送信した内部信号２００に対する応答の有無によって判断する。有線通信回線の切断を検出した後の動作は、実施例１と同様である。
【００３５】
以上の構成による有線部１６の動作を説明する。有線部１６が起動されれば、推定部３８は受信したトレーニング信号からタップ係数を推定し、等化部４０に設定する。設定終了後、等化部４０は、受信した等化前信号２０４を等化し、さらにエコーキャンセラ４２はエコーキャンセル処理する。また、信号処理部３０は、エコーキャンセル処理された信号を復調する。検出部６０は、有線通信回線の状態を監視しており、有線通信回線が切断されたと判断した場合に、トリガ生成部４６はトリガ信号を出力し、電源制御部４８は、有線部１６を再起動する。再起動によって、推定部３８は、再びトレーニング信号からタップ係数を推定し、等化部４０に設定する。
【００３６】
本発明の実施例２によれば、有線通信回線が切断した場合に、既に設定したタップ係数が実際の伝送路特性から乖離したと推定し、再起動を行うため、受信した信号の品質を改善できる。
【００３７】
（実施例３）
本発明の実施例３は、これまでの実施例と同様の通信装置に関し、所定のトリガによって、通信装置を再起動する。しかしながら、これまでの実施例と異なって、実施例３に係る通信装置は、予め再起動をする時刻を予定しており、当該時刻になれば、通信装置を再起動する。
【００３８】
図７は、実施例３に係る有線部１６の構成を示す。有線部１６は、図２の有線部１６と異なって記憶部６２、タイマ６４を含む。タイマ６４は、時計に相当し、時刻を出力する。記憶部６２は、予め有線部１６を再起動すべき時刻を記憶する。例えば、午前１時のように記憶し、さらに時刻と共に、曜日、日付を記憶してもよい。トリガ生成部４６は、タイマ６４から出力された時刻が、記憶部６２で記憶した時刻に一致すれば、電源制御部４８にトリガ信号を出力する。その後の動作、すなわち再起動の動作は、実施例１と同様である。
【００３９】
以上の構成による有線部１６の動作を説明する。有線部１６が起動されれば、推定部３８は受信したトレーニング信号からタップ係数を推定し、等化部４０に設定する。設定終了後、等化部４０は、受信した等化前信号２０４を等化し、さらにエコーキャンセラ４２はエコーキャンセル処理する。また、信号処理部３０は、エコーキャンセル処理された信号を復調する。トリガ生成部４６は、タイマ６４から出力された時刻が記憶部６２に記憶した時刻に一致すれば、トリガ信号を出力し、電源制御部４８は、有線部１６を再起動する。再起動によって、推定部３８は、再びトレーニング信号からタップ係数を推定し、等化部４０に設定する。
【００４０】
本発明の実施例３によれば、既に設定したタップ係数が実際の伝送路特性から乖離したか否かにかかわらず再起動を行うため、受信した信号の品質の低下を防止できる。
【００４１】
（実施例４）
本発明の実施例４は、実施例１と同様の通信装置に関する。実施例１では、伝送路特性の変化を推定して、通信装置を再起動したが、実施例４では、伝送路特性の変化を推定して、通信装置のうち、タップ係数に関する部分をリセットする。
【００４２】
図８は、実施例４に係る有線部１６の構成を示す。図８の有線部１６には、図２の有線部１６と比較して、電源制御部４８の代わりにリセット制御部６６が含まれている。
リセット制御部６６は、トリガ信号を入力した場合に、有線部１６のうち、タップ係数に関する部分をリセットさせる。すなわち、等化部４０内の保持部５２に保持されたタップ係数をクリアし、再び推定部３８にタップ係数を推定させるためのシーケンスを動作させる。最終的に、新たに推定したタップ係数を保持部５２に保持させる。
【００４３】
本発明の実施例４によれば、有線部１６の再起動を行わずに、タップ係数が最新の状態にマッチするように更新できる。また、更新したタップ係数によって、受信した信号の品質の低下を防止できる。
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４４】
本発明の実施例１から３によれば、有線通信回線はエコーキャンセラ方式を使用しているものとして説明した。しかしこれに限らず例えば、有線通信回線はＴＤＤ（Ｔｉｍｅ  Ｄｉｖｉｓｉｏｎ  Ｄｕｐｌｅｘ）方式であってもよい。本実施例によれば、様々な方式に本発明を適用できる。すなわち、伝送路によってひずみが生じる場合に適用されればよい。
【００４５】
本発明の実施例１から３によれば、有線部１６はひとつの有線通信回線を接続している。しかしこれに限らず例えば、有線部１６は複数の有線通信回線を接続していてもよい。その場合、電源制御部４８による有線部１６の再起動は、有線部１６全体で行われず、複数の有線通信回線のいずれかに対応した推定部３８等の部分に対して順番に行われる。本変形例によれば、複数の有線通信回線にも対応可能であり、しかる場合にすべての有線通信回線が同時に使用不可能にならないため、継続して端末装置１０に通信サービスを提供できる。
本発明の実施例１から４のうちのいずれかの組合せも有効である。本組合せによれば、実施例１から４のいずれかの組合せに応じた効果を得られる。
【図面の簡単な説明】
【００４６】
【図１】実施例１に係る通信システムの構成を示す図である。
【図２】図１の有線部の構成を示す図である。
【図３】図２の等化部の構成を示す図である。
【図４】図１の起動時の動作を示すフローチャートである。
【図５】図１の再起動時の動作を示すフローチャートである。
【図６】実施例２に係る有線部の構成を示す図である。
【図７】実施例３に係る有線部の構成を示す図である。
【図８】実施例４に係る有線部の構成を示す図である。
【符号の説明】
【００４７】
１０  端末装置、  １２  基地局装置、  １４  無線部、  １６  有線部、  １８  制御部、  ２０  局側装置、  ２２  ネットワーク、  ３０  信号処理部、  ３２  送信部、  ３４  インターフェース、  ３８  推定部、  ４０  等化部、  ４２  エコーキャンセラ、  ４４  測定部、  ４６  トリガ生成部、  ４８  電源制御部、  ５０  遅延部、  ５２  保持部、  ５４  乗算部、  ５６  総和部、  ６０  検出部、  ６２  記憶部、  ６４  タイマ、  ６６  リセット制御部、  １００  通信システム、  ２００  内部信号、  ２０２  有線伝送信号、  ２０４  等化前信号、  ２０６  等化後信号。
【図１】
2005191750.tif 000003
【図２】
2005191750.tif 000004
【図３】
2005191750.tif 000005
【図４】
2005191750.tif 000006
【図５】
2005191750.tif 000007
【図６】
2005191750.tif 000008
【図７】
2005191750.tif 000009
【図８】
2005191750.tif 000010